(57)【要約】【課題】プレート及び、該プレートを骨に固定させるスクリューからなる骨固定装置であって、前記装置はスクリューを備え、該スクリューは雄ネジを備えた頭部を外周に有するとともに、上方に向かうに従って直径が増大するテーパ形状を備える。前記装置はさらに、ワッシャを備え、該ワッシャの外周は凸面形状であり、該ワッシャは内周に傾斜部を備え、該傾斜部はスクリューの頭部と接触し、これにより、スクリューの頭部が着座され、該ワッシャはさらに、スクリューの頭部の雄ネジと係合する雌ネジを備える。前記装置はさらに、固定穴を備えたプレートを備え、該固定穴は上下方向に凹んだ形状を有する穴であり、該固定穴は、前記ワッシャが設置される保持段を内周に有する。ワッシャと、雌ネジ及び雄ネジが部分的に係合するスクリューの頭部が固定穴の上方から挿入され、保持段上に着座されると、前記スクリューの頭部はネジ締めにより下向するので、上端部の直径が増大し、前記ワッシャは前記固定穴に密着し固定される。本発明の骨固定装置は、プレートに対して垂直にスクリューを挿入するとともに固定する効果がある。ワッシャ及びスクリューが前もって結合され、その後にプレートに固定されることにより、手術者は所望の角度でスクリューを挿入し、固定することが可能となるので、手術者はより自由に手術を行うことが可能となる。【選択図】  なし
2011504408.tif 000002
【特許請求の範囲】
【請求項１】
プレート及び、該プレートを骨に固定させるスクリューからなる骨固定装置であって、
前記装置は、
頭部を有するスクリューを備え、該スクリューは外周に雄ネジを備えるとともに、上端部へ向かうにつれて直径が大きくなり、
前記装置は、さらに、
ワッシャを備え、該ワッシャの外周は凸面形状に形成されていて、該ワッシャの内周にはスクリューの頭部と接触する傾斜部を備えていて、これにより前記スクリューの頭部が傾斜部に設置され、前記ワッシャはさらに、スクリュー頭部の雄ネジと係合する雌ネジを備え、
前記装置は、さらに、
固定穴を有するプレートを備え、該固定穴は上下方向に凹んだ形状を有する穴であり、該固定穴は、前記ワッシャが設置される保持段を内周に有し、
前記ワッシャ及び、部分的に係合する前記雌ネジ及び前記雄ネジを備えたスクリューの頭部が、前記固定穴上方から挿入されるとともに、前記保持段上に設置されると、前記スクリューの頭部はネジ締めにより下向するので、上端部の直径が増大し、前記ワッシャは前記固定穴に密着し固定されることを特徴とする、骨固定装置。
【請求項２】
前記ワッシャの上端部にギャップが形成されることを特徴とする、請求項１記載の骨固定装置。
【請求項３】
少なくとも２以上のギャップが所定間隔をおいて形成されることを特徴とする、請求項２記載の骨固定装置。
【請求項４】
前記固定穴が円形に形成されていることを特徴とする、請求項１乃至請求項３いずれか記載の骨固定装置。
【請求項５】
前記固定穴が形成され、前記固定穴の両端は半円形状であり、対向して配されるとともに、所定距離おいて、継続的に配されることを特徴とする請求項１乃至請求項３いずれか記載の骨固定装置。
【請求項６】
前記ワッシャ直径が増大し、前記固定穴で固定される際、前記スクリューの頭部の上端部が傾斜しているため、前記スクリューの頭部の上端部が前記ワッシャの傾斜部と密着することを特徴とする、請求項１乃至請求項３いずれか記載の骨固定装置。
【発明の詳細な説明】
【技術分野】
【０００１】
本発明は、骨折した骨を結合する骨固定装置に関する。より詳しくは、本発明は、手術者がより自由に手術が行えるように設計された骨固定装置に関する。
【背景技術】
【０００２】
一般的に、骨折治療に対し、骨固定装置が用いられる。該装置は、スクリューとプレートで骨折表面を固定処置する装置であり、骨折患者の軟組織を切開した後で治療として用いられる。
【０００３】
これらの骨固定装置は、一般的に、プレートに穴が形成されていて、該穴に対し、スクリューが挿入する構成になっている。
【０００４】
しかしながら、これらの骨固定装置は、以下の問題点を有する。従来技術による骨固定装置は、患者の体内に埋め込まれてから長期間経過すると、外的負荷により圧迫がスクリュー周囲に集中する。これにより、骨とプレートを固定したスクリューが緩んでしまう。特に、骨粗鬆症の患者の場合は、再手術が必要となる。
【０００５】
上述の問題点を解決するため、プレートとスクリューとの間に固着機構を設ける研究が行われている。スクリューと、プレートに形成された穴との間においてネジを締め、穴内部に雌螺子を形成することにより、スクリューが外れることを防ぐことを可能にする技術は、固着機構を備えた骨固定装置において、従来技術として知られている。
【発明の概要】
【発明が解決しようとする課題】
【０００６】
しかしながら、従来技術の固着機構では、プレートの穴に形成されたネジの形状及び方向が定まっているため、スクリューの挿入する角度を調整することは不可能である。さらに、ネジ穴にネジ山をつけるドリルガイドは、スクリューが所定の角度を維持した状態で、挿入されるよう、プレートの穴の入口に接続される。その際、所定の角度を維持したままで、スクリューは骨を貫通するとともに、埋め込められなければならないため、作業は複雑になり、不必要に時間を浪費することとなる。
【０００７】
さらに、骨折が修復した後では、スクリューの頭部におけるネジ山がプレートの穴のネジ山に張り付いているため、スクリューを取り除くことは不可能である。この場合、プレートを切断し除去する必要があるため、軟組織の切断面積が増大したり、手術時間が長くなったり、プレート切断のための装置が必要になったりといった問題が生じる。さらに、プレート除去時に、過度にプレートを持ち上げることにより、さらなる骨折が生じる危険性がある。
【０００８】
上述の問題点を解決するため、出願人は韓国特許出願第10-2007-44936号を2007年5月9日付で出願を行い、上述の特許出願を改良するために本発明に関する特許出願を行う。
【課題を解決するための手段】
【０００９】
上述の問題を解決するため、プレート及びスクリューからなる本発明の骨固定装置は、スクリューを備え、該スクリューは雄ネジを備えた頭部をその外周に有するとともに、上方に向かうに従って直径が増大するテーパ形状を備える。前記装置はさらに、ワッシャを備え、該ワッシャの外周は凸面形状であり、該ワッシャは内周に傾斜部を備え、該傾斜部はスクリューの頭部と接触し、これにより、スクリューの頭部が着座される。該ワッシャはさらに、スクリューの頭部の雄ネジと係合する雌ネジを備える。前記装置はさらに、固定穴を備えたプレートを備え、該固定穴は上下方向に凹んだ形状を有する穴であり、該固定穴は、前記ワッシャが設置される保持段を内周に有する。ワッシャと、雌ネジ及び雄ネジが部分的に係合するスクリューの頭部が固定穴の上方から挿入され、保持段上に着座されると、前記スクリューの頭部はネジが締められるより下向するので、該ワッシャ上端部の直径が増大し、前記ワッシャは前記固定穴に密着し固定される。
【００１０】
少なくとも２以上のギャップ（割目）が、ワッシャの上端部に形成され、該ギャップは互いに所定距離をおいて形成されている。
【００１１】
固定穴は円形である、もしくは該固定穴は、両端が半円形状を有し、対向して配されるとともに、所定距離をおいて配列されている。
【００１２】
前記ワッシャ直径が増大し、前記固定穴で固定される際、スクリュー頭部の上端部が傾斜しているため、前記スクリューの頭部の上端部が前記ワッシャの傾斜部と密着する。
【発明の効果】
【００１３】
ワッシャ及びスクリューは予め結合されてからプレートに固定されるため、スクリューはプレートに対して垂直に挿入及び固定される。これにより、手術者が所望の角度でスクリューを挿入及び固定でき、手術者はより自由に手術を行うことが可能となる。本発明におけるワッシャはギャップを有するため、直径を容易に増大させることが可能である。ワッシャの複数のギャップが一定の間隔を空けて形成されているとともに、ワッシャの上端部は放射状に伸張するので、ワッシャは側面に対して付勢せず、固定穴においてしっかりと固定される。さらに、固定穴は円形である、もしくは、該固定穴は、両端が半円形状を有し、対向して配されるとともに、所定距離をおいて配列されている。これにより、手術者は、必要に応じて、より詳細にスクリューの配置及び挿入角度を調整することが可能である。
【図面の簡単な説明】
【００１４】
【図１】図１は、本発明の好適な実施例における骨固定装置の分解斜視図を示す。
【図２】図２は、本発明の好適な実施例におけるスクリューとワッシャの断面図を示す。
【図３】図３は、本発明のワッシャとスクリューの結合時における斜視図を示す。
【図４】図４は、スクリューと結合した本発明のワッシャがプレートに固定される斜視図を示す。
【図５】図５は、本発明の骨固定装置が締着する状態を示すフローチャートである。
【発明を実施するための形態】
【００１５】
本発明の実施例について、添付図面を参照しつつ、以下の通り提示する。
【００１６】
図１が示すように、本発明は、スクリュー（１０）、ワッシャ（２０）及びプレート（３０）から構成されている。
【００１７】
本発明のスクリュー（１０）は、ネジ山（１１）を有し、該ネジ山は、スクリュー外周に形成されていて、骨に挿入される。また、スクリュー（１０）はさらに、スクリュー頭部（１２）を有し、該頭部は、ネジ山（１１）上縁において一体的に形成されている。本発明のスクリュー（１０）は、スクリュー頭部の上部表面にレンチ溝（１４）を有しており、該スクリューは、従来のスクリュー挿入方法と同様に、レンチを用いて上方から骨に挿入される。図２に示すように、スクリュー頭部（１２）は、テーパ形状を有しており、スクリュー上方に向かうに従って頭部の直径は大きくなる。そして、スクリュー頭部は、スクリュー外周（１３）の下端部には、雄ネジ（１３a）を有し、スクリュー外周（１３）の上端部には、傾斜部（１３b）を有する。
【００１８】
本発明のワッシャ（２０）は、輪状の形状を有し、該ワッシャは中心部において、上下方向に割目を備えている。また、ワッシャは、一定の厚みを有し、その外周は、凸面形状に形成されている。スクリュー（１０）の頭部（１２）において、雄ネジ（１３a）と螺合する雌ネジ（２２）は、ワッシャの内周穴の下端部に形成されている。そして、傾斜部（２１）が内周穴の上端部に形成されている。
【００１９】
さらに、複数のギャップ（２３）が一定間隔で設けられているため、上端部が押圧された場合には、ワッシャの上端部の直径が増大し、ワッシャの上端部が放射状に広がることが可能となる。雄ネジ（１３a）と雌ネジ（２２）が螺合することによって、ワッシャ（２０）の上端部は広がるのだが、頭部（１２）の傾斜部（１３ｂ）及びワッシャ（２０）の傾斜部（２１）が異なる角度を有することで、ワッシャはより容易に広がることが可能となる。つまり、ワッシャ（２０）の上端部が最も広がる時に、頭部の傾斜部（１３ｂ）がワッシャの傾斜部と密着するよう、設計されていることが好ましい。
【００２０】
本発明のプレート（３０）は複数の固定穴（３１）を有する。固定穴（３１）は円形を有する、もしくは、該固定穴は、両端が延出していて半円形の形状を有し、互いに所定間隔をおいて、配されている。図５に示すように、保持段（３２）が固定穴（３１）に形成されることにより、固定穴の下端部の直径は、固定穴の上端部の直径よりも小さくなっている。従って、ワッシャ（２０）は固定穴（３１）に自由に挿入したり、取り除いたりすることが可能であるが、ワッシャ（２０）が固定穴の下端部よりも下方に貫通することは不可能である。
【００２１】
本発明の締着については、下記において図面を参照しつつ、詳細を述べる。図３に示すように、本発明のスクリュー（１０）は、ワッシャ（２０）と結合し、図４に示すように、プレート（３０）における固定穴（３１）に挿入される。つまり、手術時において、プレート（３０）は骨と接触し、スクリューはワッシャと結合され、レンチ(図示せず)により骨に挿入される。
【００２２】
図５において、スクリュー（１０）が挿入されるプロセスを提示する。ワッシャ（２０）及びスクリュー（１０）は、前もって部分的に係合し、プレート（３０）における固定穴（３１）に挿入される。上述の通り、ワッシャ（２０）の上端部の内周直径は、ワッシャ（２０）の最大外周直径よりも大きいため、ワッシャ（２０）は自由に挿入及び取外しすることが可能である。そして、固定穴（３１）の下端部における内周直径は小さいので、ワッシャ（２０）が固定穴（３１）を貫通することは不可能である。
【００２３】
従って、スクリュー（１０）がレンチを利用して骨に挿入される際、スクリュー（１０）と結合するワッシャ（２０）は固定穴（３１）の保持段（３２）上に置かれると、レンチはワッシャ（２０）及びスクリュー（１０）を回転させ、固定穴の下端部にて押圧する。これにより、摩擦力による回転を抑制できる。
【００２４】
頭部（１２）における雄ネジ（１３a）が継続的にレンチで締められると、再びワッシャ（２０）の雌ネジ（２２）と係合し、この係合により頭部（１２）は下向し、頭部（１２）の外周（１３）は上端部からワッシャ（２０）の内周を押圧する。従って、ワッシャ（２０）は放射状に上端部から直径が大きくなり、その結果、固定穴（３１）に密着し、固定される。この配置において、上述したように、傾斜部（１３ｂ）が頭部（１２）の上端部に形成されるので、傾斜部（１３ｂ）がワッシャ（２１）の傾斜部に密着する。
【００２５】
上述したように、固定穴（３１）が円形であるとともに、該固定穴の両端が半円形で形成され、互いに所定間隔をおいて配されている場合に、この固定方法が適用される。
【００２６】
図面にて提示した実施例は、本発明をよりよく理解するための特定の例を示すものであり、本発明の範囲を限定するものではない。当業者は、本発明の精神に基づくことで、本明細書記載の実施例以外の、他の変更形態が実施可能であることを理解する。
【図１】
2011504408.tif 000003
【図２】
2011504408.tif 000004
【図３】
2011504408.tif 000005
【図４】
2011504408.tif 000006
【図５】
2011504408.tif 000007
【手続補正書】
【提出日】平成21年7月3日(2009.7.3)
【手続補正１】
【補正対象書類名】明細書
【補正対象項目名】００２２
【補正方法】変更
【補正の内容】
【００２２】
図５において、スクリュー（１０）が挿入されるプロセスを提示する。ワッシャ（２０）及びスクリュー（１０）は、前もって部分的に係合し、プレート（３０）における固定穴（３１）に挿入される。上述の通り、固定穴（３１）の上端部の内周直径は、ワッシャ（２０）の最大外周直径よりも大きいため、ワッシャ（２０）は自由に挿入及び取外しすることが可能である。そして、固定穴（３１）の下端部における内周直径は小さいので、ワッシャ（２０）が固定穴（３１）を貫通することは不可能である。
【国際調査報告】
2011504408.tif 000008
2011504408.tif 000009